【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御部を含む
情報処理装置。
【請求項２】
前記情報処理装置と関連付けられた複数の撮像装置のうちの少なくとも一つの撮像装置に関連する情報を管理情報として登録する記憶部をさらに含み、
前記制御部は、前記管理情報に登録された前記撮像装置の情報に基づいて、前記コマンドを前記同期動作、または非同期動作として実行される入力コマンドを少なくとも一つの撮像装置へ送信する制御を行う
請求項１に記載の情報処理装置。
【請求項３】
前記情報処理装置と関連付けられた複数の撮像装置のうちの少なくとも一つの撮像装置に関連する情報である管理情報は、前記情報処理装置と関連付けられた複数の撮像装置の台数の情報を含み、
前記制御部は、前記管理情報に含まれる前記撮像装置の台数の情報に基づいて、前記コマンドを前記同期動作、または非同期動作として実行される入力コマンドを少なくとも一つの撮像装置へ送信する制御を行う
請求項１に記載の情報処理装置。
【請求項４】
前記制御部は、前記管理情報に含まれる前記撮像装置の台数が所定の台数よりも多い場合、非同期動作として実行される入力コマンドを少なくとも一つの撮像装置へ送信し、それ以外の場合、同期操作として実行される入力コマンドを少なくとも一つの撮像装置へ送信する
請求項３に記載の情報処理装置。
【請求項５】
前記情報処理装置と関連付けられた複数の撮像装置のうちの少なくとも一つの撮像装置に関連する情報である管理情報は、前記情報処理装置と関連付けられた複数の撮像装置の動作モードの情報を含み、
前記制御部は、前記管理情報に含まれる前記撮像装置の動作モードの情報に基づいて、前記コマンドを前記同期動作、または非同期動作として実行される入力コマンドを少なくとも一つの撮像装置へ送信する
請求項１に記載の情報処理装置。
【請求項６】
前記制御部は、前記管理情報に含まれる前記撮像装置の動作モードが、撮像に係る処理時間が所定時間よりも長くなる動作モードである場合、前記非同期動作として実行される入力コマンドを少なくとも一つの撮像装置へ送信し、それ以外の場合、前記同期操作として実行される入力コマンドを少なくとも一つの撮像装置へ送信する
請求項５に記載の情報処理装置。
【請求項７】
前記制御部は、前記管理情報に含まれる前記撮像装置の動作モードが連写モードである場合、前記非同期動作として実行される入力コマンドを少なくとも一つの撮像装置へ送信し、それ以外の場合、前記同期操作として実行される入力コマンドを少なくとも一つの撮像装置へ送信する
請求項６に記載の情報処理装置。
【請求項８】
前記制御部は、前記管理情報に含まれる前記撮像装置の動作モードが長時間露光モードである場合、前記非同期動作として実行される入力コマンドを少なくとも一つの撮像装置へ送信し、それ以外の場合、前記同期操作として実行される入力コマンドを少なくとも一つの撮像装置へ送信する
請求項６に記載の情報処理装置。
【請求項９】
前記情報処理装置と関連付けられた複数の撮像装置のうちの少なくとも一つの撮像装置に関連する情報である管理情報は、前記撮像装置への前記入力コマンドの前記撮像装置における処理時間の情報を含み、
前記制御部は、前記管理情報に含まれる前記撮像装置への前記入力コマンドの前記撮像装置における処理時間の情報に基づいて、前記同期動作、または非同期動作として実行される入力コマンドを少なくとも一つの撮像装置へ送信する
請求項１に記載の情報処理装置。
【請求項１０】
前記制御部は、前記管理情報に含まれる前記撮像装置への前記入力コマンドの前記撮像装置における処理時間が所定の時間より長い場合、前記非同期動作として実行される入力コマンドを少なくとも一つの撮像装置へ送信し、それ以外の場合、前記同期動作として実行される入力コマンドを少なくとも一つの撮像装置へ送信する
請求項９に記載の情報処理装置。
【請求項１１】
前記情報処理装置と関連付けられた複数の撮像装置のうちの少なくとも一つの撮像装置に関連する情報である管理情報は、前記撮像装置への前記入力コマンドの前記撮像装置の、トポロジ構造の情報を含み、
前記制御部は、前記管理情報に含まれる前記撮像装置の、前記トポロジ構造における自らと前記撮像装置とのホップ数の情報に基づいて、前記非同期動作、または前記同期動作として実行される入力コマンドを少なくとも一つの撮像装置へ送信する
請求項１に記載の情報処理装置。
【請求項１２】
前記制御部は、前記管理情報に含まれる前記撮像装置に、前記トポロジ構造における自らと前記撮像装置とのホップ数が所定数より多い前記撮像装置を含むとき、前記非同期動作として実行される入力コマンドを少なくとも一つの撮像装置へ送信し、それ以外の場合、前記同期動作として実行される入力コマンドを少なくとも一つの撮像装置へ送信する
請求項１１に記載の情報処理装置。
【請求項１３】
前記制御部は、前記入力コマンドが、自らの操作ボタンが操作されることにより供給されるものであるか、その他の装置より供給されたものであるかに基づいて、前記非同期動作、または前記同期動作として実行される入力コマンドを少なくとも一つの撮像装置へ送信する
請求項１に記載の情報処理装置。
【請求項１４】
前記制御部は、前記入力コマンドが、自らの操作ボタンが操作されることにより供給される場合、前記入力コマンドを前記非同期動作として実行される入力コマンドを少なくとも一つの撮像装置へ送信し、それ以外の場合、前記同期動作として実行される入力コマンドを少なくとも一つの撮像装置へ送信する
請求項１３に記載の情報処理装置。
【請求項１５】
前記通信部は、前記入力コマンドを送信する前記撮像装置が複数台数である場合、前記複数台数の前記撮像装置に対して一斉に入力コマンドを送信する
請求項１に記載の情報処理装置。
【請求項１６】
情報処理装置の情報処理方法であって、
前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う
ステップを含む情報処理方法。
【請求項１７】
情報処理装置の動作を制御するコンピュータに実行させるプログラムであって、
前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御ステップを含む処理を情報処理装置の動作を制御するコンピュータに実行させるプログラム。
【請求項１８】
情報処理装置と撮像装置とからなる撮像システムにおいて、
前記情報処理装置は、
前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御部を含み、
前記撮像装置は、
送信されてくる前記入力コマンドに対応する動作を実行させる動作実行部を含む
撮像システム。
【手続補正２】
【補正対象書類名】明細書
【補正対象項目名】０００９
【補正方法】変更
【補正の内容】
【０００９】
本技術の第１の側面の情報処理装置は、情報処理装置であって、前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御部を含む。
【手続補正３】
【補正対象書類名】明細書
【補正対象項目名】００１０
【補正方法】変更
【補正の内容】
【００１０】
前記情報処理装置と関連付けられた複数の撮像装置のうちの少なくとも一つの撮像装置に関連する情報を管理情報として登録する記憶部をさらに含み、前記制御部には、前記管理情報に登録された前記撮像装置の情報に基づいて、前記コマンドを前記同期動作、または非同期動作として実行される入力コマンドを少なくとも一つの撮像装置へ送信する制御を行うようにさせるようにすることができる。
【手続補正４】
【補正対象書類名】明細書
【補正対象項目名】００１１
【補正方法】変更
【補正の内容】
【００１１】
前記情報処理装置と関連付けられた複数の撮像装置のうちの少なくとも一つの撮像装置に関連する情報である管理情報には、前記情報処理装置と関連付けられた複数の撮像装置の台数の情報を含ませるようにすることができ、前記制御部は、前記管理情報に含まれる前記撮像装置の台数の情報に基づいて、前記コマンドを前記同期動作、または非同期動作として実行される入力コマンドを少なくとも一つの撮像装置へ送信する制御を行うようにさせるようにすることができる。
【手続補正５】
【補正対象書類名】明細書
【補正対象項目名】００１２
【補正方法】変更
【補正の内容】
【００１２】
前記制御部には、前記管理情報に含まれる前記撮像装置の台数が所定の台数よりも多い場合、非同期動作として実行される入力コマンドを少なくとも一つの撮像装置へ送信し、それ以外の場合、同期操作として実行される入力コマンドを少なくとも一つの撮像装置へ送信させるようにすることができる。
【手続補正６】
【補正対象書類名】明細書
【補正対象項目名】００１３
【補正方法】変更
【補正の内容】
【００１３】
前記情報処理装置と関連付けられた複数の撮像装置のうちの少なくとも一つの撮像装置に関連する情報である管理情報には、前記情報処理装置と関連付けられた複数の撮像装置の動作モードの情報を含ませるようにすることができ、前記制御部には、前記管理情報に含まれる前記撮像装置の動作モードの情報に基づいて、前記コマンドを前記同期動作、または非同期動作として実行される入力コマンドを少なくとも一つの撮像装置へ送信させるようにすることができる。
【手続補正７】
【補正対象書類名】明細書
【補正対象項目名】００１４
【補正方法】変更
【補正の内容】
【００１４】
前記制御部には、前記管理情報に含まれる前記撮像装置の動作モードが、撮像に係る処理時間が所定時間よりも長くなる動作モードである場合、前記非同期動作として実行される入力コマンドを少なくとも一つの撮像装置へ送信し、それ以外の場合、前記同期操作として実行される入力コマンドを少なくとも一つの撮像装置へ送信させるようにすることができる。
【手続補正８】
【補正対象書類名】明細書
【補正対象項目名】００１５
【補正方法】変更
【補正の内容】
【００１５】
前記制御部には、前記管理情報に含まれる前記撮像装置の動作モードが連写モードである場合、前記非同期動作として実行される入力コマンドを少なくとも一つの撮像装置へ送信し、それ以外の場合、前記同期操作として実行される入力コマンドを少なくとも一つの撮像装置へ送信させるようにすることができる。
【手続補正９】
【補正対象書類名】明細書
【補正対象項目名】００１６
【補正方法】変更
【補正の内容】
【００１６】
前記制御部には、前記管理情報に含まれる前記撮像装置の動作モードが長時間露光モードである場合、前記非同期動作として実行される入力コマンドを少なくとも一つの撮像装置へ送信し、それ以外の場合、前記同期操作として実行される入力コマンドを少なくとも一つの撮像装置へ送信させるようにすることができる。
【手続補正１０】
【補正対象書類名】明細書
【補正対象項目名】００１７
【補正方法】変更
【補正の内容】
【００１７】
前記情報処理装置と関連付けられた複数の撮像装置のうちの少なくとも一つの撮像装置に関連する情報である管理情報には、前記撮像装置への前記入力コマンドの前記撮像装置における処理時間の情報を含ませるようにすることができ、前記制御部には、前記管理情報に含まれる前記撮像装置への前記入力コマンドの前記撮像装置における処理時間の情報に基づいて、前記同期動作、または非同期動作として実行される入力コマンドを少なくとも一つの撮像装置へ送信させるようにすることができる。
【手続補正１１】
【補正対象書類名】明細書
【補正対象項目名】００１８
【補正方法】変更
【補正の内容】
【００１８】
前記制御部には、前記管理情報に含まれる前記撮像装置への前記入力コマンドの前記撮像装置における処理時間が所定の時間より長い場合、前記非同期動作として実行される入力コマンドを少なくとも一つの撮像装置へ送信し、それ以外の場合、前記同期動作として実行される入力コマンドを少なくとも一つの撮像装置へ送信させるようにすることができる。
【手続補正１２】
【補正対象書類名】明細書
【補正対象項目名】００１９
【補正方法】変更
【補正の内容】
【００１９】
前記情報処理装置と関連付けられた複数の撮像装置のうちの少なくとも一つの撮像装置に関連する情報である管理情報には、前記撮像装置への前記入力コマンドの前記撮像装置の、トポロジ構造の情報を含ませるようにすることができ、前記制御部には、前記管理情報に含まれる前記撮像装置の、前記トポロジ構造における自らと前記撮像装置とのホップ数の情報に基づいて、前記非同期動作、または前記同期動作として実行される入力コマンドを少なくとも一つの撮像装置へ送信させるようにすることができる。
【手続補正１３】
【補正対象書類名】明細書
【補正対象項目名】００２０
【補正方法】変更
【補正の内容】
【００２０】
前記制御部には、前記管理情報に含まれる前記撮像装置に、前記トポロジ構造における自らと前記撮像装置とのホップ数が所定数より多い前記撮像装置を含むとき、前記非同期動作として実行される入力コマンドを少なくとも一つの撮像装置へ送信し、それ以外の場合、前記同期動作として実行される入力コマンドを少なくとも一つの撮像装置へ送信させるようにすることができる。
【手続補正１４】
【補正対象書類名】明細書
【補正対象項目名】００２１
【補正方法】変更
【補正の内容】
【００２１】
前記制御部には、前記入力コマンドが、自らの操作ボタンが操作されることにより供給されるものであるか、その他の装置より供給されたものであるかに基づいて、前記非同期動作、または前記同期動作として実行される入力コマンドを少なくとも一つの撮像装置へ送信させるようにすることができる。
【手続補正１５】
【補正対象書類名】明細書
【補正対象項目名】００２２
【補正方法】変更
【補正の内容】
【００２２】
前記制御部には、前記入力コマンドが、自らの操作ボタンが操作されることにより供給される場合、前記入力コマンドを前記非同期動作として実行される入力コマンドを少なくとも一つの撮像装置へ送信し、それ以外の場合、前記同期動作として実行される入力コマンドを少なくとも一つの撮像装置へ送信させるようにすることができる。
【手続補正１６】
【補正対象書類名】明細書
【補正対象項目名】００２３
【補正方法】変更
【補正の内容】
【００２３】
前記通信部には、前記入力コマンドを送信する前記撮像装置が複数台数である場合、前記複数台数の前記撮像装置に対して一斉に入力コマンドを送信させるようにすることができる。
【手続補正１７】
【補正対象書類名】明細書
【補正対象項目名】００２４
【補正方法】変更
【補正の内容】
【００２４】
本技術の第１の側面の情報処理方法は、情報処理装置の情報処理方法であって、前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行うステップを含む。
【手続補正１８】
【補正対象書類名】明細書
【補正対象項目名】００２５
【補正方法】変更
【補正の内容】
【００２５】
本技術の第１の側面のプログラムは、情報処理装置の動作を制御するコンピュータに実行させるプログラムであって、前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御ステップを含む処理を情報処理装置の動作を制御するコンピュータに実行させる。
【手続補正１９】
【補正対象書類名】明細書
【補正対象項目名】００２６
【補正方法】変更
【補正の内容】
【００２６】
本技術の第２の側面の撮像システムは、情報処理装置と撮像装置とからなる撮像システムにおいて、前記情報処理装置は、前記情報処理装置と関連付けられた複数の撮像装置のうちの少なくとも一つの撮像装置に関連する情報に基づいて、同期操作、または非同期動作として実行される入力コマンドを少なくとも一つの撮像装置へ送信する制御を行う制御部を含み、前記撮像装置は、送信されてくる前記入力コマンドに対応する動作を実行させる動作実行部とを含む。
【手続補正２０】
【補正対象書類名】明細書
【補正対象項目名】００２７
【補正方法】変更
【補正の内容】
【００２７】
本技術の第１の側面においては、前記情報処理装置と関連付けられた複数の撮像装置のうちの少なくとも一つの撮像装置に関連する情報に基づいた、同期操作、または非同期動作として実行される入力コマンドの少なくとも一つの撮像装置への送信が制御される。
【手続補正２１】
【補正対象書類名】明細書
【補正対象項目名】００２８
【補正方法】変更
【補正の内容】
【００２８】
本技術の第２の側面においては、情報処理装置と撮像装置とからなる撮像システムであって、前記情報処理装置により、前記情報処理装置と関連付けられた複数の撮像装置のうちの少なくとも一つの撮像装置に関連する情報に基づいて、同期操作、または非同期動作として実行される入力コマンドが少なくとも一つの撮像装置へ送信される制御が行われ、前記撮像装置により、送信されてくる前記入力コマンドに対応する動作が実行される。
【手続補正２２】
【補正対象書類名】明細書
【補正対象項目名】００６９
【補正方法】変更
【補正の内容】
【００６９】
無線通信部１５３は、複数の無線通信方式を用いることもでき、例えば、無線通信の開始時には、ＮＦＣ通信部１８１により電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉ通信部１８２により行うことができる。
【手続補正２３】
【補正対象書類名】明細書
【補正対象項目名】００９２
【補正方法】変更
【補正の内容】
【００９２】
ステップＳ４２において、制御部１１４は、ＮＦＣ通信部１２１による検知通知に応じて電源コントロール信号を出力して電源をＯＮに制御する。
【手続補正２４】
【補正対象書類名】明細書
【補正対象項目名】００９３
【補正方法】変更
【補正の内容】
【００９３】
一方、無線通信部１１５のＮＦＣ通信部１２１は、ステップＳ３３において、ＮＦＣ帯域のＲＦ信号の検知に応じて、Ｃｏｍｍａｎｄ  Ｒｅｓｐｏｎｓｅを情報処理装置５１に対して発信する。
【手続補正２５】
【補正対象書類名】図面
【補正対象項目名】図１７
【補正方法】変更
【補正の内容】
【図１７】
2015095872.tif 000001